(57)【要約】【課題】撮影画像データを分類した後に分類先を変更する。【解決手段】画像分類装置２は、ＣＰＵ３、ＲＯＭ４、ＲＡＭ５、ＬＣＤ６、入力操作部７を備える。ＲＯＭ４に、地図データ、撮影位置データ及びＬＭ名データを記憶した画像データを記憶する。ＣＰＵ３は、画像データをＬＭ名データ毎に分類し、分類結果をＬＣＤ６に表示された画像検索画面に表示する。分類選択部に、ＬＭ名データの名をフォルダ名としてツリー構造で一覧表示する。画像一覧部に、分類された画像データの画像を一覧表示する。画像表示部に、選択したサムネイル画像を拡大表示する。ＬＭ名表示部に、画像データのＬＭ名を表示する。ＬＭ名選択部に、近接するランドマークの名を一覧表示する。ＣＰＵ３は、選択したランドマークのＬＭ名データを、画像表示部に表示された画像データに記憶した後、画像データをＲＯＭ４に上書きして記憶する。【選択図】図１
2007142672.tif 000002
【特許請求の範囲】
【請求項１】
撮影位置の位置データを有する撮影画像データを記憶する画像データ記憶手段と、
前記撮影位置データに基づいて、施設の位置及び名称データを含む施設データを有する地図データから前記撮影位置が位置する施設の施設データを検索する施設検索手段と、
前記施設検索手段での検索結果に基づいて、前記撮影画像データを施設別に分類する画像データ分類手段と、を備えた画像分類装置であって、
前記撮影画像データが有する前記撮影位置データを変更し、前記撮影画像データの分類先を変更する変更手段を備えたことを特徴とする画像分類装置。
【請求項２】
前記画像データ分類手段による分類先の各施設名を一覧表示する施設名一覧表示手段と、
前記施設名一覧表示手段で表示された各施設名のうちのいずれかを選択したときに、選択された施設名に分類された前記撮影画像データを一覧表示する画像一覧表示手段と、を備えたことを特徴とする請求項１記載の画像分類装置。
【請求項３】
前記画像一覧表示手段で表示された前記撮影画像データのうちのいずれかを選択したときに、選択された撮影画像データを拡大表示する拡大表示手段と、
前記拡大表示手段に表示された撮影画像データの分類先の施設名を表示する選択施設名表示手段と、
前記選択施設名表示手段に表示された施設に近接する施設名を一覧表示する近接施設名表示手段と、を備え、
前記近接施設名表示手段に表示された各施設名のうちのいずれかを選択したときに、前記変更手段は、前記拡大表示手段に表示された撮影画像データの撮影位置データを、前記選択した施設の位置データに変更することを特徴とする請求項２記載の画像分類装置。
【請求項４】
施設名を入力する入力手段を備え、
前記画像一覧表示手段は、前記入力手段で施設名を入力したことに応じて、入力した施設名に分類された前記撮影画像データを一覧表示することを特徴とする請求項２または３記載の画像分類装置。
【請求項５】
前記施設名一覧表示手段は、施設内に他の施設が位置しているときにはその包含関係に基づき、ツリー構造となるように各施設名を一覧表示することを特徴とする請求項２ないし４いずれか１つ記載の画像分類装置。
【請求項６】
前記地図データを記憶する地図データ記憶手段を備えたことを特徴とする請求項１ないし５いずれか１つ記載の画像分類装置。
【請求項７】
前記地図データを記憶した外部データサーバーと通信可能な通信手段を備えたことを特徴とする請求項１ないし５いずれか１つ記載の画像分類装置。
【請求項８】
撮影位置の位置データを有する撮影画像データを記憶し、
施設の位置及び名称を含む施設データを有する地図データから前記撮影位置が位置する施設の施設データを検索し、
検索結果に基づいて、前記撮影画像データを施設別に分類する画像分類方法であって、
前記撮影画像データが有する前記撮影位置データを変更し、前記撮影画像データの分類先を変更することを特徴とする画像分類方法。
【請求項９】
請求項１ないし５いずれか１つ記載の画像分類装置を備えたことを特徴とするデジタルカメラ。
【請求項１０】
前記地図データを、カメラ本体に着脱自在な記録媒体に記憶したことを特徴とする請求項９記載のデジタルカメラ。
【請求項１１】
前記地図データを記憶した外部データサーバーと通信可能な通信手段を備えたことを特徴とする請求項９記載のデジタルカメラ。
【発明の詳細な説明】
【技術分野】
【０００１】
本発明は、画像分類装置及び方法、並びにデジタルカメラに関するものである。
【背景技術】
【０００２】
近年、撮影した画像を画像データとして保存し、保存した画像データをＬＣＤ等で表示させることにより、撮影画像を印刷することなく撮影画像を見ることができるデジタルカメラが広く普及している。印刷したプリント写真は、アルバム等に整理することにより、効率よく分類及び検索を行うことができる。一方、デジタルカメラで撮影した画像データは、プリント写真に比べて劣化しないというメリットがあるが、分類及び検索する手間がかかるという問題があった。
【０００３】
また、近年では、ＧＰＳ（Ｇｌｏｂａｌ  Ｐｏｓｉｔｉｏｎｉｎｇ  Ｓｙｓｔｅｍ）測位システムを利用して、撮影地点の位置データを画像データに付与して記憶することができるデジタルカメラ（例えば、ＧＰＳ機能を有するカメラ付き携帯電話）も普及してきており、デジタルカメラで撮影された画像データに付与された位置データから撮影地点の地名や建物名等のランドマーク名を特定し、ランドマーク毎に画像データを分類する技術が提案されている（例えば、特許文献１及び特許文献２参照）。
【０００４】
特許文献１のアルバム作成装置及びその方法では、蓄積された複数の画像データから、画像データが撮影された場所の範囲を抽出し、画像データを撮影された場所の範囲毎に分類するアルバムを作成していく。
【０００５】
また、特許文献２の画像分類方法、画像分類システム、プログラム及び画像ファイルのデータ構造では、画像ファイルにＧＰＳデータを付加し、ＧＰＳデータ別にフォルダを作成して、画像ファイルを、画像ファイルに付加されているＧＰＳデータを基に、それぞれに応じたフォルダに格納することにより、画像ファイルをＧＰＳデータ別に分類している。
【特許文献１】特開２００５−１０７８６７号公報
【特許文献２】特開２００３−２７１６１７号公報
【発明の開示】
【発明が解決しようとする課題】
【０００６】
しかしながら、特許文献１及び特許文献２では、ＧＰＳ機能が低く取得した撮影位置のデータ（緯度・経度）に誤差があり、撮影位置の選定時に間違った地名や施設が選定され、画像データが間違った施設に分類された場合には、その分類先を変更することができないという問題があった。
【０００７】
本発明は、上記課題を解決するためになされたものであり、撮影画像データを分類した後に分類先を変更することができる画像分類装置及び方法、並びにデジタルカメラを提供することを目的とする。
【課題を解決するための手段】
【０００８】
上記目的を達成するために、本発明の画像分類装置は、撮影位置の位置データを有する撮影画像データを記憶する画像データ記憶手段と；前記撮影位置データに基づいて、施設の位置及び名称データを含む施設データを有する地図データから前記撮影位置が位置する施設の施設データを検索する施設検索手段と；前記施設検索手段での検索結果に基づいて、前記撮影画像データを施設別に分類する画像データ分類手段と；を備えた画像分類装置であって、前記撮影画像データが有する前記撮影位置データを変更し、前記撮影画像データの分類先を変更する変更手段を備えたことを特徴とする。なお、前記地図データとしては、世界地図、日本地図、関東地方地図、関西地方地図等の地図データが挙げられる。また、前記施設としては、遊園地、駅、学校等が挙げられる。
【０００９】
なお、前記画像データ分類手段による分類先の各施設名を一覧表示する施設名一覧表示手段と；前記施設名一覧表示手段で表示された各施設名のうちのいずれかを選択したときに、選択された施設名に分類された前記撮影画像データを一覧表示する画像一覧表示手段と；を備えることが好ましい。
【００１０】
また、前記画像一覧表示手段で表示された前記撮影画像データのうちのいずれかを選択したときに、選択された撮影画像データを拡大表示する拡大表示手段と；前記拡大表示手段に表示された撮影画像データの分類先の施設名を表示する選択施設名表示手段と；前記選択施設名表示手段に表示された施設に近接する施設名を一覧表示する近接施設名表示手段と；を備え、前記近接施設名表示手段に表示された各施設名のうちのいずれかを選択したときに、前記変更手段は、前記拡大表示手段に表示された撮影画像データの撮影位置データを、前記選択した施設の位置データに変更することが好ましい。なお、前記近接施設名表示手段は、前記選択施設名表示手段に表示された施設に近接する施設名を、近い順や優先度が高い順等、順番に一覧表示することが好ましい。
【００１１】
さらに、施設名を入力する入力手段を備え、前記画像一覧表示手段は、前記入力手段で施設名を入力したことに応じて、入力した施設名に分類された前記撮影画像データを一覧表示することが好ましい。
【００１２】
また、前記施設名一覧表示手段は、施設内に他の施設が位置しているときにはその包含関係に基づき、ツリー構造となるように各施設名を一覧表示することが好ましい。
【００１３】
さらに、前記地図データを記憶する地図データ記憶手段を備えること、または、前記地図データを記憶した外部データサーバーと通信可能な通信手段を備えることが好ましい。
【００１４】
また、本発明の画像分類方法は、撮影位置の位置データを有する撮影画像データを記憶し、施設の位置及び名称を含む施設データを有する地図データから前記撮影位置が位置する施設の施設データを検索し、検索結果に基づいて、前記撮影画像データを施設別に分類する画像分類方法であって、前記撮影画像データが有する前記撮影位置データを変更し、前記撮影画像データの分類先を変更することを特徴とする。
【００１５】
さらに、本発明のデジタルカメラは、上記した画像分類装置を備えたことを特徴とする。なお、前記地図データを、カメラ本体に着脱自在な記録媒体に記憶すること、または、前記地図データを記憶した外部データサーバーと通信可能な通信手段を備えることが好ましい。
【発明の効果】
【００１６】
本発明の画像分類装置によれば、撮影位置の位置データを有する撮影画像データを記憶する画像データ記憶手段と；撮影位置データに基づいて、施設の位置及び名称データを含む施設データを有する地図データから撮影位置が位置する施設の施設データを検索する施設検索手段と；施設検索手段での検索結果に基づいて、撮影画像データを施設別に分類する画像データ分類手段と；撮影画像データが有する撮影位置データを変更し、撮影画像データの分類先を変更する変更手段と；を備えたから、撮影画像データを撮影位置の施設毎に分類することができ、さらには、変更手段により撮影画像データの分類先を変更することができる。
【００１７】
また、画像データ分類手段による分類先の各施設名を一覧表示する施設名一覧表示手段と；施設名一覧表示手段で表示された各施設名のうちのいずれかを選択したときに、選択された施設名に分類された撮影画像データを一覧表示する画像一覧表示手段と；を備えたから、容易に分類別に撮影画像データを表示させることができる。
【００１８】
さらに、画像一覧表示手段で表示された撮影画像データのうちのいずれかを選択したときに、選択された撮影画像データを拡大表示する拡大表示手段と；拡大表示手段に表示された撮影画像データの分類先の施設名を表示する選択施設名表示手段と；選択施設名表示手段に表示された施設に近接する施設名を一覧表示する近接施設名表示手段と；を備え、近接施設名表示手段に表示された各施設名のうちのいずれかを選択したときに、変更手段は、拡大表示手段に表示された撮影画像データの撮影位置データを、選択した施設の位置データに変更するから、近接施設名表示手段に表示された施設名を選択するだけで、容易に撮影画像データの分類先を変更することができる。
【００１９】
また、本発明の画像分類方法によれば、撮影位置の位置データを有する撮影画像データを記憶し、施設の位置及び名称を含む施設データを有する地図データから前記撮影位置が位置する施設の施設データを検索し、検索結果に基づいて、撮影画像データを施設別に分類する画像分類方法であって、撮影画像データが有する撮影位置データを変更し、撮影画像データの分類先を変更するから、撮影画像データを撮影位置の施設毎に分類することができ、さらには、撮影画像データの分類先を変更することができる。
【００２０】
さらに、本発明のデジタルカメラによれば、上記した画像分類装置を備えたから、デジタルカメラ単体で、撮影画像データを分類し、さらには、撮影画像データの分類先を変更することができる。
【発明を実施するための最良の形態】
【００２１】
図１に示すように、本発明を実施した画像分類装置２は、ＣＰＵ（画像データ分類手段）３、ＲＯＭ（地図データ記憶手段）４、ＲＡＭ（画像データ記憶手段）５、ＬＣＤ６、入力操作部（入力手段）７を備えたパーソナルコンピュータから構成されている。入力操作部７は、ＣＰＵ３にデータを入力するためのものであり、キーボードやマウス等を備えて構成されている。
【００２２】
ＲＯＭ４には、詳しくは後述する概略の日本の地図データと、デジタルカメラ１１で撮影され、撮影された位置のランドマーク名データ（以下、ＬＭ名データ）を記憶した画像データと、が記憶されている。画像データは、詳しくは後述するようにメモリカード１５から入力される。
【００２３】
デジタルカメラ１１は、シャッタボタンや撮影レンズ等を含む公知の撮影ユニット１２と、現在位置を測位してその位置データを取得するＧＰＳユニット１３と、制御部１４とを備え、撮影した画像データを記憶するメモリカード１５が着脱自在にセットされている。ＧＰＳユニット１３は、アンテナ１６、ＧＰＳ算出部１７を有する。アンテナ１６は、地球を周回しているＧＰＳ衛星からの電波を受信する。この受信した電波は、ＧＰＳ算出部１７に送られる。ＧＰＳ算出部１７には、入力された電波に基づき、現在位置の位置データ（緯度・経度）を算出する算出プログラムが格納されている。
【００２４】
撮影ユニット１２を操作して撮影を行うと、制御部１４からＧＰＳ算出部１７にプログラム起動信号が出力され、ＧＰＳ算出部１７は、算出プログラムを起動して、アンテナ１６から入力される電波に基づき、現在位置の位置データ（緯度・経度）を算出し、算出した位置データを制御部１４に送る。そして、制御部１４は、撮影した画像データに、ＧＰＳ算出部１７から入力される位置データを記憶した後、画像データをメモリカード１５に記憶する。
【００２５】
メモリカード１５に記憶された画像データを、ＲＯＭ４に記憶させるには、メモリカード１５をデジタルカメラ１１から抜き取り、メモリカード１５を画像分類装置２のメモリカード挿入口に挿入する。メモリカード挿入口にメモリカード１５が挿入されると、ＣＰＵ３は、メモリカード１５内の画像データを読み取り、読み取った画像データをＲＡＭ５に記憶する。そして、ＣＰＵ３は、詳しくは後述するように、画像データに記憶された位置データに基づき、位置データに係るランドマーク（施設）を検索し、検索したランドマークのＬＭ名データを画像データに記憶した後、画像データをＲＯＭ４に記憶する。
【００２６】
ＲＯＭ４には、画像検索を行うための画像検索プログラムが格納されており、入力操作部７で、画像検索を行うためのキーワード（例えば、「画像検索開始」）が入力されたことに応答して、ＣＰＵ３は、画像検索プログラムを起動する。画像検索プログラムが起動すると、ＬＣＤ６には、図２に示すような画像検索画面２０が表示される。そして、ＣＰＵ３は、画像データをＬＭ名データ毎に分類し、分類結果を画像検索画面２０に表示する。
【００２７】
画像検索画面２０には、画像検索部２１と、分類選択部２２と、画像一覧部２３とが設けられている。画像検索部２１には、検索するワードを入力するためのワード入力部２１ａと、ワード入力部２１ａに入力されたワードに係るデータ（画像データ）の検索を開始するための検索開始ボタン２１ｂとが設けられている。
【００２８】
分類選択部２２には、画像データに記憶されたＬＭ名データの名が、フォルダ名としてツリー構造で一覧表示される。画像一覧部２３には、画像検索部２１で検索された画像データの画像、または分類選択部２２で選択されたフォルダに分類された画像データの画像が、サムネイル画像として一覧表示される。本実施形態では、ＲＯＭ４に、α市、α駅、α遊園地、β観覧車、γジェットコースター、θ市というランドマークに分類された画像データと、ランドマークを特定することができずに分類不能となった画像データとが記憶された実施形態について説明を行う。また、本実施形態では、ＬＣＤ６は、分類先の各フォルダ名（施設名）を一覧表示する施設名一覧表示手段、選択されたフォルダ（施設名）に分類された画像データを一覧表示する画像一覧表示手段としても機能する。
【００２９】
分類選択部２２には、α市、α駅、α遊園地、β観覧車、γジェットコースター、θ市の各ランドマーク名が題されたフォルダと、分類不能が題されたフォルダとがツリー構造で表示される。α駅及びα遊園地は、α市内に位置するランドマークであり、α駅フォルダ及びα遊園地フォルダは、α市フォルダ内に設けられている。β観覧車及びγジェットコースターは、α遊園地内に位置するランドマークであり、β観覧車フォルダ及びγジェットコースターフォルダは、α遊園地フォルダ内に設けられている。すなわち、α市フォルダとθ市フォルダと分類不能フォルダとは、ツリー構造で同等位のフォルダとなり、α駅フォルダ及びα遊園地フォルダは、α市フォルダの子フォルダとなり、β観覧車フォルダ及びγジェットコースターフォルダは、α遊園地フォルダの子フォルダで且つα市フォルダの孫フォルダとなる。本実施形態では、上記した子・孫の関係となるフォルダや同等のフォルダに題されたランドマークを、近接するランドマークと称する（例えば、β観覧車に近接するランドマークは、α市、α駅、α遊園地、γジェットコースター）。
【００３０】
入力操作部７を操作して、α市フォルダを開くと、α駅フォルダ、α遊園地フォルダ、β観覧車フォルダ及びγジェットコースターフォルダが分類選択部２２に表示されるとともに、α市フォルダ、α駅フォルダ、α遊園地フォルダ、β観覧車フォルダ及びγジェットコースターフォルダに分類された画像データの画像が、画像一覧部２３にサムネイル画像として一覧表示される。また、入力操作部７を操作して、例えばβ観覧車フォルダを選択すると、β観覧車に分類された画像データの画像が、画像一覧部２３にサムネイル画像として一覧表示される。
【００３１】
ランドマークを特定することができずに分類不能となった画像データ（例えば、海外で撮影した画像データ）は、分類不能フォルダに分類される。
【００３２】
画像検索部２１は、ＲＯＭ４内の画像データを検索するためのものであり、ワード入力部２１ａにワード（例えば、β観覧車）を入力し、入力操作部７を操作して検索開始ボタン２１ｂを操作すると、ＣＰＵ３は、β観覧車に係る画像データをＲＯＭ４内の画像データから検索し、検索された画像データの画像を画像一覧部２３にサムネイル画像として一覧表示する。
【００３３】
入力操作部７を操作して、画像一覧部２３に表示されたサムネイル画像の１つ（例えば、β観覧車フォルダの画像）を選択すると、ＬＣＤ６には、図３に示すような画像表示画面３０が表示される。画像表示画面３０には、画像表示部３１と、ランドマーク名変更部（以下、ＬＭ名変更部）３２と、が設けられている。画像表示部３１には、上記選択されたサムネイル画像が拡大表示される。なお、画像表示部３１に、表示する画像のサイズを変更するためのサイズ変更ボタンを設けてもよい。
【００３４】
ＬＭ名変更部３２には、ランドマーク名表示部（以下、ＬＭ名表示部）３２ａと、ランドマーク名選択部（以下、ＬＭ名選択部）３２ｂと、ＬＭ名変更ボタン３２ｃと、が設けられている。ＬＭ名表示部３２ａには、画像表示部３１に表示された画像データに記憶されたＬＭ名データの名（β観覧車）が表示される。ＬＭ名選択部３２ｂには、ＬＭ名表示部３２ａに表示されたランドマーク（β観覧車）に近接するランドマークの名が撮影位置に近い順に一覧表示される（例えば、ＬＭ名表示部３２ａに「β観覧車」と表示された場合には、「γジェットコースター」「α遊園地」、「α駅」、「α市」の順に表示される）。本実施形態では、ＬＣＤ６は、選択された画像データを拡大表示する拡大表示手段、拡大表示された画像データの分類先のフォルダ名（施設名）を表示する選択施設名表示手段、表示されたランドマーク（施設）に近接するランドマーク名（施設名）を一覧表示する近接施設名表示手段としても機能する。
【００３５】
デジタルカメラ１１で撮影を行うと、制御部１４からＧＰＳ算出部１７にプログラム起動信号が出力され、ＧＰＳ算出部１７は、算出プログラムを起動して、アンテナ１６から入力される電波に基づき、現在位置の位置データを算出し、算出した位置データを制御部１４に送る。ＧＰＳ衛星からの電波による撮影位置の算出は、高精度ではないため、ＧＰＳ算出部１７で算出した位置データが、実際の撮影位置とは異なる場合がある（例えば、γジェットコースターを撮影したときに、算出した位置データはβ観覧車の位置データ）。この場合の画像データには、ＬＭ名データとしてβ観覧車のデータが記憶される。この画像データの画像を画像表示部３１に表示した場合には、画像とＬＭ名表示部３２ａに表示されるランドマーク名とが異なることになる（画像はγジェットコースターで、ランドマーク名はβ観覧車）。この場合には、ランドマーク名を正しいもの（γジェットコースター）に変更する必要がある。
【００３６】
入力操作部７を操作して、ＬＭ名選択部３２ｂに表示されたランドマーク名のいずれか（γジェットコースター）を選択すると、選択されたランドマーク名（γジェットコースター）がＬＭ名表示部３２ａに表示される。ここで、入力操作部７を操作してＬＭ名変更ボタン３２ｃを操作すると、ＣＰＵ３は、γジェットコースターのＬＭ名データを、画像表示部３１に表示された画像データに記憶した後、画像データをＲＯＭ４に記憶する。このとき、ＣＰＵ３は、既に画像データに記憶されているＬＭ名データ（β観覧車）の上に新たなＬＭ名データ（γジェットコースター）を上書きして記憶する。すなわち、画像データに記憶されたＬＭ名データは、新たなＬＭ名データ（γジェットコースター）に書き換えられる。これにより、ＬＭ名データを、画像に対応した正しいもの（γジェットコースター）に変更することができる。本実施形態では、ＣＰＵ３は、画像データの有するＬＭ名データ（撮影位置データ）を変更し、画像データの分類先を変更する変更手段としても機能する。
【００３７】
画像分類装置２のＲＯＭ１２には、概略の日本の地図データが記憶されている。この地図データは、図４に概略的に二次元で示すように、始点緯度３０°、始点経度１２８°、終点緯度４６°、終点経度１４７°の範囲を、緯線方向に４０分（２／３°）ピッチで、経線方向に１°ピッチで等間隔に複数の分割エリアに分割した地図の地図データである。
【００３８】
地図データは、図５に示す分割エリアデータテーブルと、図６に示す分割エリア一覧テーブルとを含んで構成されている。分割エリアデータテーブルには、１個の分割エリアの経線方向の長さ（＝２／３°）、１個の分割エリアの緯線方向の長さ（＝１°）、緯線方向の分割エリア個数（＝２４）、経線方向の分割エリア個数（＝１９）、地図の始点緯度（＝３０°）、地図の始点経度（＝１２８°）が記憶されている。
【００３９】
分割エリア一覧テーブルには、全ての分割エリアの始点緯度及び始点経度のデータが記憶されている。地図データは、地図の始点となる図４中ハッチングされた分割エリアＡ（０，０）から、地図の終点となる分割エリアＡ（１８，２３）までの４５６個の分割エリアで構成される。なお、上記した（  ）内の数値は、左側の数値が、経線方向において分割エリアＡ（０，０）から何個目の分割エリアかを示し、右側の数値が、緯線方向において分割エリアＡ（０，０）から何個目の分割エリアかを示している。例えば、分割エリアＡ（１０，１５）は、経線方向において分割エリアＡ（０，０）から１０個目、緯線方向において分割エリアＡ（０，０）から１５個目の分割エリアとなる。
【００４０】
なお、図４〜図６においては、図面の乱雑を避けるために、１個の分割エリアが、緯線方向に４０分（２／３°）、経線方向に１°となるように、地図データを等間隔で分割したが、実際には、もっと細かいピッチで分割されるものであり、例えば、１個の分割エリアは、緯線方向に１０ｋｍ、経線方向に１０ｋｍ程度であることが好ましく、分割エリアのサイズに応じて、経線方向の分割エリア個数と緯線方向の分割エリア個数とは変更されるものである。
【００４１】
図７に示すように、地図データには、複数の分割エリア毎に、分割エリア内に位置する主要なランドマーク（例えば、遊園地や駅や学校等）それぞれに割り振られたＩＤ番号、ランドマークの名前（ＬＭ名）、ランドマークのエリア座標（ＬＭエリア座標）、拡張幅、矩形エリア座標、親データ、子データの各セクションのデータが記憶されたランドマークデータテーブル（施設データ）が含まれている。本実施形態では、分割エリアＡ（１１，８）内に、α遊園地が位置し、このα遊園地内にβ観覧車及びγジェットコースターが位置する実施形態について説明を行う。
【００４２】
拡張幅セクションには、矩形エリア座標を形成するための、ＬＭエリア座標から四方に拡張させるための拡張幅（例えば、ｍ単位）が記憶されている。本実施形態では、α遊園地の拡張幅は５ｍ、β観覧車の拡張幅は３ｍ、γジェットコースターの拡張幅は３ｍに設定されている。なお、拡張幅の長さは適宜変更可能である。
【００４３】
α遊園地はＩＤ番号＝１００、β観覧車はＩＤ番号＝１０１、γジェットコースターはＩＤ番号＝１０２とされている。β観覧車及びγジェットコースターは、α遊園地内に位置するため、これらランドマークの親子関係（包含関係）としては、α遊園地を親としたときに、β観覧車及びγジェットコースターはα遊園地の子となる。このため、α遊園地の子データセクションには、β観覧車及びγジェットコースターのＩＤ番号である「１０１、１０２」が記憶され、β観覧車及びγジェットコースターの親データセクションには、α遊園地のＩＤ番号である「１００」が記憶されている。
【００４４】
図８は、α遊園地のエリアデータを概略的に二次元で示した平面図であり、α遊園地は、５角形状に形成されたランドマークであり、５個の頂点の各座標（（αｘ１，αｙ１）（αｘ２，αｙ２）（αｘ３，αｙ３）（αｘ４，αｙ４）（αｘ５，αｙ５））のデータが、ランドマークデータテーブルのＬＭエリア座標セクション（図５参照）に記憶されている。これら５個の頂点を通る線で囲まれたエリアが、α遊園地ＬＭエリアとなる。α遊園地から四方に拡張幅分（５ｍ）拡張されたエリアが、α遊園地拡張エリアとなり、さらには、α遊園地拡張エリアの緯線方向及び経線方向の頂点を通る線で矩形状に形成されたエリアが、α遊園地矩形エリアとなる。α遊園地矩形エリアの４個の頂点の各座標（（Ｒαｘ１，Ｒαｙ１）（Ｒαｘ２，Ｒαｙ２）（Ｒαｘ３，Ｒαｙ３）（Ｒαｘ４，Ｒαｙ４））のデータは、ランドマークデータテーブルの矩形エリア座標セクション（図７参照）に記憶されている。
【００４５】
図９は、α遊園地に設けられたβ観覧車のエリアデータを示した平面図である。β観覧車は、４角形状に形成されたランドマークであり、４個の頂点の各座標（（βｘ１，βｙ１）（βｘ２，βｙ２）（βｘ３，βｙ３）（βｘ４，βｙ４））のデータが、ランドマークデータテーブルのＬＭエリア座標セクション（図７参照）に記憶されている。これら４個の頂点を通る線で囲まれたエリアが、β観覧車ＬＭエリアとなる。β観覧車から四方に拡張幅分（３ｍ）拡張されたエリアが、β観覧車拡張エリアとなり、さらには、β観覧車拡張エリアの緯線方向及び経線方向の頂点を通る線で矩形状に形成されたエリアが、β観覧車矩形エリアとなる。β観覧車矩形エリアの４個の頂点の各座標（（Ｒβｘ１，Ｒβｙ１）（Ｒβｘ２，Ｒβｙ２）（Ｒβｘ３，Ｒβｙ３）（Ｒβｘ４，Ｒβｙ４））のデータは、ランドマークデータテーブルの矩形エリア座標セクション（図７参照）に記憶されている。
【００４６】
図１０は、α遊園地に設けられたγジェットコースターのエリアデータを示した平面図であり、γジェットコースターは、６角形状に形成されたランドマークであり、６個の頂点の各座標（（γｘ１，γｙ１）（γｘ２，γｙ２）（γｘ３，γｙ３）（γｘ４，γｙ４）（γｘ５，γｙ５）（γｘ６，γｙ６））のデータが、ランドマークデータテーブルのＬＭエリア座標セクション（図７参照）に記憶されている。これら６個の頂点を通る線で囲まれたエリアがγジェットコースターＬＭエリアとなる。γジェットコースターから四方に拡張幅分（３ｍ）拡張されたエリアが、γジェットコースター拡張エリアとなり、さらには、γジェットコースター拡張エリアの緯線方向及び経線方向の頂点を通る線で矩形状に形成されたエリアが、γジェットコースター矩形エリアとなる。γジェットコースター矩形エリアの４個の頂点の各座標（（Ｒγｘ１，Ｒγｙ１）（Ｒγｘ２，Ｒγｙ２）（Ｒγｘ３，Ｒγｙ３）（Ｒγｘ４，Ｒγｙ４）（Ｒγｘ５，Ｒγｙ５（Ｒγｘ５，Ｒγｙ５））のデータは、ランドマークデータテーブルの矩形エリア座標セクション（図５参照）に記憶されている。
【００４７】
図１に示すように、メモリカード１５をＣＰＵ３に接続すると、ＣＰＵ３は、メモリカード１５内の画像データを読み取り、読み取った画像データをＲＡＭ５に記憶する。そして、ＣＰＵ３は、画像データに記憶された位置データ（例えば、入力位置＝Ｐ１（緯度＝３５．７°、経度＝１３９．７°））に基づき、ＲＯＭ４を検索して、ＲＯＭ４に記憶された地図データの全ての分割エリアから、入力位置が含まれる分割エリアを選定する。
【００４８】
分割エリアの検索方法としては、入力位置Ｐ１の緯度（＝３５．７°）から地図の始点緯度（＝３０°）を減算し、減算して得られた数値（＝５．７°）を１分割エリアの緯線方向の長さ（＝２／３°）で除算し、除算して得られた数値（＝８．５５）の小数点以下を切り捨てる。こうして得られた数値（＝８）が、緯線方向において始点分割エリア（図２におけるハッチングされた分割エリア）から何個目の分割エリアかを示す数値となる。
【００４９】
また、入力位置Ｐ１の経度（＝１３９．７°）から地図の始点経度（＝１２８°）を減算し、減算して得られた数値（＝１１．７°）を１分割エリアの経線方向の長さ（＝１°）で除算し、除算して得られた数値（＝１１．７）の小数点以下を切り捨てる。こうして得られた数値（＝１１）が、経線方向において始点分割エリア（図２におけるハッチングされた分割エリア）から何個目の分割エリアかを示す数値となる。入力位置データが、入力位置Ｐ１（緯度＝３５．７°、経度＝１３９．７°）の場合には、緯線方向において始点分割エリアから８個目、経線方向において始点分割エリアから１１個目の分割エリアとなる。このように、入力位置が含まれる分割エリアを、入力位置データ（緯度・経度）を用いて計算式により検索するから、入力位置データと全ての分割エリア（４５６個）とを対比させて、入力位置が含まれる分割エリアを検索するものに比べて、検索に要する時間を短縮することができる。
【００５０】
分割エリアの検索が終了すると、ＣＰＵ３は、次にランドマークの検索を行う。このとき、ＣＰＵ３は、上記したように検索（選定）された分割エリアＡ（１１，８）内のみのランドマークの検索を行う。本実施形態では、入力位置Ｐ１（緯度＝３５．７°、経度＝１３９．７°）が、α遊園地内のβ観覧車内の位置である場合について説明する。
【００５１】
ＣＰＵ３は、分割エリアＡ（１１，８）内のランドマークを検索し、入力位置Ｐ１が含まれる矩形エリア（１個または複数）を選定する。入力位置Ｐ１の場合には、検索結果として、α遊園地矩形エリアとβ観覧車矩形エリアとが選定される。
【００５２】
次に、ＣＰＵ３は、入力位置Ｐ１からα遊園地ＬＭエリア及びβ観覧車ＬＭエリアまでの距離Ｌ（距離Ｌα、距離Ｌβ）を算出する。先ず、入力位置Ｐ１が各ＬＭエリア内の位置であるかを、公知の判定方法である多角形の内外判定法により判定する。ここで、入力位置Ｐ１がＬＭエリア内の位置であると判定された場合、上記した距離Ｌ＝０（ゼロ）となる。一方、入力位置Ｐ１がＬＭエリア内の位置でないと判定された場合、入力位置Ｐ１からＬＭエリアを形成する各辺までの最短距離が距離Ｌとなる。入力位置Ｐ１はα遊園地内のβ観覧車内の位置であり、α遊園地ＬＭエリアに対する距離ＬはＬα１＝０（ゼロ）となり、β観覧車ＬＭエリアに対する距離Ｌβ１＝０（ゼロ）となる。
【００５３】
そして、ＣＰＵ３は、距離Ｌ＝０となるランドマークがあるか否かを判定する。ＣＰＵ３は、距離Ｌ＝０となるランドマークがある（α遊園地、β観覧車）と判定した場合には、距離Ｌ＝０となるランドマーク（α遊園地、β観覧車）から、親データセクションに親データとしてのＩＤ番号が記憶されたランドマーク（β観覧車）を特定し、特定されたランドマーク（β観覧車）の親データセクションに記憶されているＩＤ番号のランドマーク（α遊園地）を、上記選定されたランドマーク（α遊園地、β観覧車）から消去して、ランドマークの選別を行う。これにより、入力位置Ｐ１（緯度＝３５．７°、経度＝１３９．７°）のランドマークは、β観覧車に選定される。本実施形態では、ＣＰＵ３は、入力位置データ（撮影位置データ）に基づいて、入力位置（撮影位置）が位置するランドマーク（施設）のランドマークデータテーブル（施設データ）を検索する施設検索手段としても機能する。
【００５４】
次に、ＣＰＵ３は、最終的に選定されたランドマーク（β観覧車）のＬＭ名データを画像データに記憶した後、画像データをＲＯＭ４に記憶する。なお、ＬＭ名データを画像データに記憶する代わりに、ＬＭ名データと画像データとを関連付けてＲＯＭ４に記憶するようにしてもよい。
【００５５】
また、図８に示すように、入力位置データ（入力位置Ｐ２）が、α遊園地外で拡張エリア内を示す位置データである場合（距離Ｌ＝０となるランドマークがないと判定された（Ｌ＞０）場合）には、ＣＰＵ３は、入力位置Ｐ２が含まれる矩形エリアを有するランドマークの検索結果として、α遊園地を選定する。次に、入力位置Ｐ２からＬＭエリア座標セクションに記憶されたα遊園地ＬＭエリアまでの距離Ｌを計算し、距離Ｌα２として算出する。そして、ＣＰＵ３は、距離Ｌ（距離Ｌα２）と、ランドマークデータテーブルのα遊園地の拡張幅セクションに記憶された拡張幅とが、距離Ｌ≦拡張幅の関係を満たしているか否かを判定する。距離Ｌが距離Ｌα２の場合には、距離Ｌ≦拡張幅と判定され、α遊園地は最終的に選定するランドマークとして選定される。そして、ＣＰＵ３は、最終的に選定されたランドマーク（α遊園地）のＬＭ名データを、ＬＣＤ６に出力して、ＬＣＤ６に、ＬＭ名（α遊園地）を表示する（例えば、「この画像の撮影地点はα遊園地です」）とともに、最終的に選定されたランドマーク（α遊園地）のＬＭ名データを画像データに記憶した後、画像データをＲＯＭ４に記憶する。
【００５６】
また、図８に示すように、入力位置データ（入力位置Ｐ３）が、拡張エリア外で矩形エリア内を示す位置データである場合には、ＣＰＵ３は、入力位置Ｐ３が含まれる矩形エリアを有するランドマークの検索結果として、α遊園地を選定する。次に、入力位置Ｐ３からＬＭエリア座標セクションに記憶されたα遊園地のＬＭエリアまでの距離Ｌを計算し、距離Ｌα３として算出する。そして、ＣＰＵ３は、距離Ｌ≦拡張幅の関係を満たしているか否かを判定する。なお、入力位置Ｐ３が含まれる矩形エリアを有するランドマークが複数ある場合には、複数のランドマークのうちの入力位置Ｐ３から最も近いランドマーク（この場合には、α遊園地）に対して判定を行う。距離Ｌ＝距離Ｌα３の場合には、距離Ｌ≦拡張幅でない判定され、α遊園地は最終的に選定するランドマークとしては選定されない。すなわち、入力位置Ｐ３（撮影地点）は、ランドマーク内ではないと判定される。この場合には、ＣＰＵ３は、「撮影地点は主要のランドマーク内ではない」旨のデータを、ＬＣＤ６に出力して、ＬＣＤ６に、「この画像の撮影地点は主要のランドマーク内ではありません」と表示するとともに「この画像の撮影地点は主要のランドマーク内ではない」旨のデータを画像データに記憶
させた後、画像データをＲＯＭ４に記憶する。
【００５７】
上記のように構成された画像分類装置２の作用について、図１１〜図１４のフローチャートを用いて説明を行う。図１１は、画像データに記憶された位置データに基づき、撮影位置のランドマークを検索するフローチャートである。メモリカード１５をＣＰＵ３に接続すると、ＣＰＵ３は、メモリカード１５内の画像データを読み取り、読み取った画像データをＲＡＭ５に記憶する（ステップ（以下、Ｓ）１）。次に、ＣＰＵ３は、画像データに記憶された位置データ（例えば、入力位置＝Ｐ１（緯度＝３５．７°、経度＝１３９．７°））に基づき、ＲＯＭ４を検索して、入力位置Ｐ１のランドマーク（β観覧車）を選定する（Ｓ２）。そして、ＣＰＵ３は、選定されたランドマーク（β観覧車）のＬＭ名データを画像データに記憶した後、画像データをＲＯＭ４に記憶する（Ｓ３）。
【００５８】
図１２は、ＲＯＭ４に記憶された画像データを分類して表示するフローチャートである。入力操作部７で、画像検索を行うためのキーワード（例えば、「画像検索開始」）が入力されたことに応答して、ＣＰＵ３は、画像検索プログラムを起動する。画像検索プログラムが起動すると、ＬＣＤ６には、画像検索画面２０が表示される。そして、ＣＰＵ３は、画像データをＬＭ名データ毎に分類し、分類結果を画像検索画面２０に表示する。分類選択部２２には、α市、θ市の各ランドマーク名が題されたフォルダと、分類不能が題されたフォルダとがツリー構造で表示される（Ｓ１）。
【００５９】
入力操作部７を操作して、α市フォルダを選択して（Ｓ２）開くと、α駅フォルダ、α遊園地フォルダ、β観覧車フォルダ及びγジェットコースターフォルダが分類選択部２２に表示されるとともに、α市フォルダ、α駅フォルダ、α遊園地フォルダ、β観覧車フォルダ及びγジェットコースターフォルダに分類された画像データの画像が、画像一覧部２３にサムネイル画像として一覧表示される（Ｓ３）。また、入力操作部７を操作して、例えばβ観覧車フォルダを選択すると、β観覧車に分類された画像データの画像が、画像一覧部２３にサムネイル画像として一覧表示される。
【００６０】
図１３は、施設名を入力して、ＲＯＭ４に記憶された画像データを分類して表示するフローチャートである。ワード入力部２１ａにワード（例えば、β観覧車）を入力し、入力操作部７を操作して検索開始ボタン２１ｂを操作すると（Ｓ１）、ＣＰＵ３は、β観覧車に分類された画像データの画像を、画像一覧部２３にサムネイル画像として一覧表示する（Ｓ２）。
【００６１】
図１４は、画像データに記憶されたＬＭ名データを変更し、画像分類先を変更するフローチャートである。入力操作部７を操作して、画像一覧部２３に表示されたサムネイル画像の１つ（例えば、β観覧車フォルダの画像）を選択すると（Ｓ１）、ＬＣＤ６には、画像表示画面３０が表示される。画像表示部３１には、上記選択されたサムネイル画像が拡大表示される。ＬＭ名表示部３２ａには、画像表示部３１に表示された画像データに記憶されたランドマークデータのランドマーク名（β観覧車）が表示される（Ｓ２）。ＬＭ名選択部３２ｂには、ＬＭ名表示部３２ａに表示されたランドマーク（β観覧車）に近接するランドマークの名が近い順に一覧表示される（Ｓ３）。
【００６２】
入力操作部７を操作して、ＬＭ名選択部３２ｂに表示されたランドマーク名のいずれかを選択すると（Ｓ４）、選択されたランドマーク名がＬＭ名表示部３２ａに表示される。ここで、入力操作部７を操作してＬＭ名変更ボタン３２ｃを操作すると、ＣＰＵ３は、ＬＭ名表示部３２ａに表示されたランドマーク名のＬＭ名データを、画像表示部３１に表示された画像データに記憶した後、画像データをＲＯＭ４に記憶する（Ｓ５）。これにより、画像データに記憶されたＬＭ名データを変更することができる。
【００６３】
このように、入力操作部７を操作して、ＬＭ名選択部３２ｂに表示されたランドマーク名のいずれかを選択し、選択されたランドマーク名をＬＭ名表示部３２ａに表示させた後、入力操作部７を操作してＬＭ名変更ボタン３２ｃを操作すると、ＣＰＵ３は、ＬＭ名表示部３２ａに表示されたランドマーク名のＬＭ名データを、画像表示部３１に表示された画像データに記憶した後、画像データをＲＯＭ４に上書きして記憶するから、画像データに記憶されたＬＭ名データを変更することができる。これにより、画像とＬＭ名データとが異なる（例えば、β観覧車内からγジェットコースターを撮影）場合にも、ＬＭ名データを画像に対応した正しいもの（γジェットコースター）に変更することができる。
【００６４】
また、ＣＰＵ３は、画像データをＬＭ名データ毎に分類し、分類結果をツリー構造で画像検索画面２０に表示するから、容易に分類されたランドマーク名を確認することができる。
【００６５】
さらに、画像検索部２１のワード入力部２１ａにワードを入力し、入力操作部７を操作して検索開始ボタン２１ｂを操作すると、ＣＰＵ３は、入力ワードに係る画像データをＲＯＭ４内の画像データから検索し、検索された画像データの画像を画像一覧部２３にサムネイル画像として一覧表示するとともに、検索された画像データの分類先フォルダと、このフォルダに関連したフォルダとを、分類選択部２２に表示するから、フォルダが多数ある場合にも、ワード入力部２１ａに所望するフォルダのフォルダ名を入力するだけで、迅速に所望するフォルダを検索することができる。
【００６６】
なお、上記実施形態では、子・孫の関係となるフォルダや同等のフォルダに題されたランドマークを、近接するランドマークと称した（例えば、β観覧車に近接するランドマークは、α市、α駅、α遊園地、γジェットコースター）が、近接するランドマークの設定は適宜変更可能である。
【００６７】
図１５に他の実施形態を示す。上記実施形態のものと同様の構成部材には同一の符号を付し、その詳細な説明を簡略化する。この実施形態では、デジタルカメラ１１は、ＬＣＤ６、入力操作部７を備え、メモリカード１５には、地図データが記憶されている。制御部１４は、上記実施形態のＣＰＵ３と同様の機能を有し、位置データに係るランドマークを検索し、最終的に選定されたランドマークのＬＭ名データを画像データに記憶した後、画像データをメモリカード１５に上書きして記憶する。そして、制御部１４は、メモリカード１５に記憶した画像データを、ＬＭ名データ毎に分類し、分類結果をＬＣＤ６に表示された画像検索画面２０に表示する。すなわち、本実施形態では、デジタルカメラ１１は、上記実施形態の画像分類装置２と同等の機能を有する。
【００６８】
このように、デジタルカメラ１１に画像分類機能を設けたから、デジタルカメラ１１単体で画像データの分類を行うことができる。また、メモリカード１５は、データの書き換えが可能なため、地図データを書き換えることができる。
【００６９】
なお、上記実施形態では、メモリカード１５に地図データを記憶したが、デジタルカメラ１１に、インターネットを介して地図データを記憶した地図データサーバーに接続可能な通信部を設けるようにしてもよく、この場合には、制御部１４は、通信部及びインターネットを介して地図データサーバーに接続し、地図データサーバー内の地図データを検索して、画像データに応じたＬＭ名データを選定する。
【００７０】
図１６に他の実施形態を示す。図１〜図１４に示す実施形態のものと同様の構成部材には同一の符号を付し、その詳細な説明を簡略化する。この実施形態では、画像分類装置２は、インターネット４１を介して地図データサーバー４２に接続可能な通信部４３を備える。地図データサーバー４２は、地図データを管理する地図データ管理機構等に設けられており、上記実施形態の地図データが記憶されている。地図データ管理機構は、常時、最新の地図データを地図データサーバー４２に記憶している。
【００７１】
ＣＰＵ３は、画像データに記憶された位置データに基づき、通信部４３及びインターネット４１を介して地図データサーバー４２に接続し、地図データサーバー４２内の地図データを検索して、ＬＭ名データを選定し、選定したＬＭ名データを画像データに記憶した後、画像データをＲＯＭ４に記憶する。
【００７２】
このように、最新の地図データを記憶している地図データサーバー４２に、通信部４３及びインターネット４１を介して接続し、地図データサーバー４２内の地図データを検索して、画像データに記憶した位置データに係るＬＭ名データを選定するから、新しく建設されたランドマークでの撮影においても、確実にランドマーク名を確認することができる。
【図面の簡単な説明】
【００７３】
【図１】本発明を実施した画像分類装置とデジタルカメラとの電気的構成を示す機能ブロック図である。
【図２】画像検索画面を示す平面図である。
【図３】画像表示画面を示す平面図である。
【図４】地図データの地図領域を示す平面図である。
【図５】分割エリアデータテーブルの説明図である。
【図６】分割エリア一覧テーブルの説明図である。
【図７】ランドマークデータテーブルの説明図である。
【図８】α遊園地の地図領域を示す平面図である。
【図９】β観覧車の地図領域を示す平面図である。
【図１０】γジェットコースターの地図領域を示す平面図である。
【図１１】画像データに記憶された位置データに基づき、撮影位置のランドマークを検索するフローチャートである。
【図１２】ＲＯＭに記憶された画像データを分類して表示するフローチャートである。
【図１３】施設名を入力してＲＯＭに記憶された画像データを分類して表示するフローチャートである。
【図１４】画像データに記憶されたランドマークデータを変更して画像分類先を変更するフローチャートである。
【図１５】デジタルカメラが画像分類装置として機能する実施形態のデジタルカメラの電気的構成を示す機能ブロック図である。
【図１６】インターネットを介して地図データが設けられた地図データサーバーに接続する実施形態の画像分類装置とデジタルカメラとの電気的構成を示す機能ブロック図である。
【符号の説明】
【００７４】
２  画像分類装置
３  ＣＰＵ（画像データ分類手段）
４  ＲＯＭ（地図データ記憶手段）
５  ＲＡＭ
６  ＬＣＤ
７  入力操作部（入力手段）
１１  デジタルカメラ
１５  メモリカード
３２ａ  ＬＭ名表示部
３２ｂ  ＬＭ名選択部
３２ｃ  ＬＭ名変更ボタン
【図１】
2007142672.tif 000003
【図２】
2007142672.tif 000004
【図３】
2007142672.tif 000005
【図４】
2007142672.tif 000006
【図５】
2007142672.tif 000007
【図６】
2007142672.tif 000008
【図７】
2007142672.tif 000009
【図８】
2007142672.tif 000010
【図９】
2007142672.tif 000011
【図１０】
2007142672.tif 000012
【図１１】
2007142672.tif 000013
【図１２】
2007142672.tif 000014
【図１３】
2007142672.tif 000015
【図１４】
2007142672.tif 000016
【図１５】
2007142672.tif 000017
【図１６】
2007142672.tif 000018